(57)【要約】  本発明は、ユーザ端末間で、回線交換（ＣＳドメイン）とパケット交換（ＰＳドメイン）との同時接続をサポートするセルラー移動体無線電気通信システムにおいて、マルチメディアサービスケイパビリティ情報を含むメッセージをユーザ端末へ自動的に配信する方法に関するものである。この方法は、端末（１２）が現在来訪しているセルの回線交換ドメインを介して、該端末（１２）から、マルチメディアケイパビリティ情報（ＭＣｍ１２）を含むメッセージを送信するステップを備える。また、本発明は、この方法をサポートする、端末、システム及びコンピュータプログラムに関するものである。
2008522486.tif 000002
【特許請求の範囲】
【請求項１】
ユーザ端末間で、回線交換（ＣＳドメイン）とパケット交換（ＰＳドメイン）との同時接続をサポートするセルラー移動体無線電気通信システムにおいて、マルチメディアサービスケイパビリティ情報を含むメッセージをユーザ端末へ自動的に配信する方法であって、
端末（１２）が現在来訪しているセルの回線交換ドメインを介して、該端末（１２）から、マルチメディアケイパビリティ情報（ＭＣｍ１２）を含むメッセージを送信するステップを備える
ことを特徴とする方法。
【請求項２】
前記マルチメディアケイパビリティ情報（ＭＣｍ１２）を含むメッセージを送信するステップは、リンクあるいはチャネルのようなパケット交換接続をセットアップすることなく、別のユーザ端末のアイデンティティ（Ｅ．１６４番号、ＩＭＥＩ、ＩＭＳＩ等）を送信することによって音声呼が開始される場合に自動的に実行される
ことを特徴とする請求項１に記載の方法。
【請求項３】
前記マルチメディアケイパビリティ情報（ＭＣｍ１２）を含むメッセージを送信するステップは、リンクあるいはチャネルのようなパケット交換接続をセットアップすることなく、ノードＡのユーザ端末と別のユーザ端末間で回線交換接続が確立されている場合に自動的に実行される
ことを特徴とする請求項１に記載の方法。
【請求項４】
前記マルチメディアケイパビリティ情報（ＭＣｍ１２）を含むメッセージを送信するステップは、互いに回線交換接続を介して接続されている端末群の１つがローミングしている場合に自動的に実行される
ことを特徴とする請求項１乃至３のいずれ１項に記載の方法。
【請求項５】
一方の端末のマルチメディアケイパビリティ情報を含むメッセージを他方の端末から受信する場合に、マルチメディアケイパビリティ情報を含む応答メッセージを自動的に送信するステップを更に備える
ことを特徴とする請求項１乃至４のいずれか１項に記載の方法。
【請求項６】
別の端末の前記マルチメディアサービスケイパビリティ情報を含む受信メッセージを解析するステップと、
前記受信メッセージが解析される場合に、取り得るマルチメディアサービスを前記端末のユーザに通知するステップと
を更に備えることを特徴とする請求項１乃至５のいずれか１項に記載の方法。
【請求項７】
前記無線電気通信ネットワークの制御チャネルを介して、前記マルチメディアサービスケイパビリティ情報を含む前記メッセージを送信し、かつ受信するステップを更に備える
ことを特徴とする請求項１乃至６のいずれか１項に記載の方法。
【請求項８】
前記無線電気通信ネットワークの制御チャネルは、ＧＳＭ規格に従う高速関連付制御チャネル（ＦＡＣＣＨ）、あるいはそれに対応する別の移動体無線電気通信規格のチャネルである
ことを特徴とする請求項７に記載の方法。
【請求項９】
取り得るマルチメディアサービスケイパビリティの数を制限するあるいは満足させるステップを更に備える
ことを特徴とする請求項１乃至８のいずれか１項に記載の方法。
【請求項１０】
ユーザ端末のマルチメディアサービスケイパビリティ情報を含むメッセージを処理することができる端末であって、
端末（１２）が現在来訪しているセルの基地局システム（ＢＳＳ）を備える回線交換ドメインを介して、端末（１２）からマルチメディアケイパビリティ情報（ＭＣｍ１２）を含むメッセージを送信する手段と、
別の端末のマルチメディアケイパビリティ情報を含むメッセージを受信する手段と
を備えることを特徴とする端末。
【請求項１１】
別のユーザ端末の番号を送信することによって音声呼が開始される場合に、マルチメディアケイパビリティ情報（ＭＣｍ１２）を含むメッセージを自動的に送信する手段を更に備える
ことを特徴とする請求項１０に記載の端末。
【請求項１２】
ノードＡの端末と別のユーザ端末（１３）間で回線交換接続が確立されている場合に、マルチメディアケイパビリティ情報（ＭＣｍ１２）を含むメッセージを自動的に送信する手段を更に備える
ことを特徴とする請求項１０に記載の端末。
【請求項１３】
前記端末がローミングしている場合に、マルチメディアケイパビリティ情報（ＭＣｍ１２）を含むメッセージを自動的に送信する手段とを更に備える
ことを特徴とする請求項１０乃至１２のいずれか１項に記載の端末。
【請求項１４】
前記他のユーザ端末のマルチメディアケイパビリティ情報（ＭＣｍ１２）を含むメッセージを、別の端末から受信する場合、マルチメディアケイパビリティ情報（ＭＣｍ１３）を含むメッセージを自動的に送信する手段とを更に備える
ことを特徴とする請求項１０乃至１３のいずれか１項に記載の端末。
【請求項１５】
別の端末の前記マルチメディアサービスケイパビリティ情報を含む受信メッセージを解析する手段と、
前記受信メッセージが解析される場合、取り得るマルチメディアサービスを端末ユーザへ通知する手段と
を更に備えることを特徴とする請求項１０乃至１４のいずれか１項に記載の端末。
【請求項１６】
無線電気通信ネットワークの制御チャネルを介して、前記マルチメディアサービスケイパビリティ情報を含む前記メッセージを送信し、かつ受信する手段を更に備える
ことを特徴とする請求項１０乃至１５のいずれか１項に記載の端末。
【請求項１７】
前記無線電気通信ネットワークの制御チャネルは、ＧＳＭ規格に従う高速関連付制御チャネル（ＦＡＣＣＨ）、あるいはそれに対応する別の移動体無線電気通信規格のチャネルである
ことを特徴とする請求項１０乃至１６のいずれか１項に記載の端末。
【請求項１８】
ユーザ端末のマルチメディアサービスケイパビリティ情報を含むメッセージを自動的に処理し、かつ配信するシステムであって、
当該システムは、セルラー移動体無線電気通信ネットワーク内の少なくとも１つのセルの少なくとも１つのノードに含まれていて、
前記ノードは、基地局システム（ＢＳＳ）を備えていて、
前記メッセージを自動的に処理し、かつ配信するシステムは、端末（１２）が現在来訪しているセルの基地局システム（ＢＳＳ）を備える回線交換ドメイン（１４）を介して、該端末（１２）のマルチメディアケイパビリティ情報（ＭＣｍ１２、ＭＣｍ１３）を含むメッセージを配信する手段を備えている
ことを特徴とするシステム。
【請求項１９】
前記マルチメディアサービスケイパビリティ情報を含む前記メッセージは、前記無線電気通信ネットワークの制御チャネルを介して送信される
ことを特徴とする請求項１８に記載のシステム。
【請求項２０】
前記無線電気通信ネットワークの前記制御チャネルは、ＧＳＭ規格に従う高速関連付制御チャネル（ＦＡＣＣＨ）、あるいはそれに対応する別の移動体無線電気通信規格のチャネルである
ことを特徴とする請求項１９に記載のシステム。
【請求項２１】
意図される端末へ前記メッセージが転送される前に、必要な場合に、前記情報の内容を変更するためのマルチメディアサービスケイパビリティ情報フィルタを更に備える
ことを特徴とする請求項１８乃至２０のいずれか１項に記載のシステム。
【請求項２２】
コンピュータ可読媒体に記憶されたコンピュータ実行可能ソフトウェアを備えるコンピュータプログラムであって、
前記ソフトウェアは、コンピュータあるいは他の処理手段で実行されるように構成されていて、
前記コンピュータ実行可能ソフトウェアが、前記コンピュータあるいは前記他の処理手段によってロードされ、かつ読み出される場合に、前記コンピュータあるいは前記他の処理手段は、請求項１乃至９のいずれか１項に記載の方法のステップを実行することが可能である
ことを特徴とするコンピュータプログラム。
【発明の詳細な説明】
【技術分野】
【０００１】
本発明の分野
本発明は、移動体無線電気通信ネットワークにおける、ユーザ端末のマルチメディアサービスケイパビリティ情報の配信のための方法、端末、システム及びコンピュータプログラムに関するものである。
【０００２】
本発明の背景
マルチメディアサービスは、３Ｇ  ＷＣＤＭＡ及び２．５Ｇ  ＧＳＭネットワークの一方あるいは両方を稼動するセルラーオペレータへ新たな収益をもたらすことが予測されている。長年の間、単純な回線音声は依然として重要な収益源になっているので、市場は、音声「を越える」サービスを開発している。これには、マルチメディアアプリケーションがある。これには、例えば、通常の音声呼が含まれるが、別のメディアを平行してその音声呼に追加するものである。そうすることで、２人の移動体ユーザ間で、通話に加えて、同時に、別のメディアを視覚的に共有することができる。この共有されるメディアには、静止画、１ウェイ（片方向）あるいは２ウェイ（双方向）ライブビデオ、テキストあるいはゲームがある。このタイプの共有されるサービスを、本明細書では、共有マルチメディア（ＳＭＭ）サービスと呼ぶことにする。
【０００３】
共有マルチメディアサービスは、ユーザ端末、例えば、移動電話が、標準回線交換（ＣＳ）音声呼とパケット交換（ＰＳ）ＩＰセッションを同時に実行し、加えて、アプリケーションロジックを作成するクライアントをホスティングすることが可能であることを必要とする。ＣＳとＰＳの同時接続は、３ＧＰＰ規格（第３世代パートナシッププロジェクト）におけるデュアル転送モード（ＤＴＭ）と呼ばれる。このデュアル転送モードは、文献３ＧＰＰ技術仕様書４３．００５  Ｖ５．２．０−リリース５、無線アクセスネットワーク、デュアル転送モードにより詳細に記載されている。
【０００４】
オペレータがより高く望む機能は、移動体ユーザが、例えば、どんな場合にでも、発信音声呼内でどの共有マルチメディアサービスが適用可能であるかを、そのユーザの電話の画面で視覚的に確認できることである。遠隔ユーザと発呼ユーザの両方が１つあるいはいくつかの共有マルチメディアサービスに対するケイパビリティを有している場合、両ユーザの移動電話の双方の画面に１つあるいはいくつかのアイコンを示すことができる。このタイプのケイパビリティチェックは、本明細書では、共有マルチメディアサービスディスカバリープロセス（発見処理）と呼ぶことにする。
【０００５】
しかしながら、現在の標準化で議論されているデファクトのケイパビリティディスカバリーソリューションは、音声呼が確立する直後に、移動電話に遠隔の移動電話に向けてのパケット交換に基づく移動体ケイパビリティチェックを開始させることに向けられているものである。
【０００６】
端末指向ソリューションは、パケット交換ＩＰセッションを使用して、開始端末から他の端末へケイパビリティクエリーメッセージを送信する。パケット交換ＩＰセッションは、無線リソースを使用する。このことは、これらの２つの端末の一方がＳＭＭをサポートしている場合に、各電話呼の最初にクエリーが開始されなければならないことを意味する。今日では、呼を発信中にケイパビリティを送信することを唯一与えられる可用性は、ＣＳとＰＳとの同時接続を使用することである。
【０００７】
Ｈ．３２３は、国際電気通信連合（ＩＴＵ）による包括的な勧告であり、これは、ＩＰベースのネットワーク、例えば、サービス品質（ＱｏＳ）を保証していないローカルエリアネットワーク（ＬＡＮ）を介する、マルチメディア通信の規格を制定している。Ｈ．３２３に従えば、マルチポイント制御ユニット（ＭＣＵ）は、３つ以上のエンドポイント間の会議をサポートし、かつ必要とされるマルチポイントコントローラ（ＭＣ）と、ゼロあるいは複数のマルチポイントプロセッサ（ＭＰ）を構成している。ＭＣは、すべての端末間でのプロトコルＨ．２４５ネゴシエーションを行って、音声及びビデオ処理のための共通のケイパビリティを判定する。
【０００８】
米国特許番号６，１６１，００８によれば、パーソナルモビリティドメインネーム（ＰＭＤＮＳ）システムを使用するパーソナルモビリティシステムが既に知られている。このシステムは、端末ケイパビリティを記憶し指示するＰＭＤＮＳデータベースサーバを含んでいる。この情報は、端末からのセッションリクエストで使用される。このデータベースサーバは、ユーザ端末には配置されていない。ネットワーク内に配置される、このようなユーザプロファイルあるいは端末ケイパビリティデータベースは、米国特許番号６，０５２，４４０、米国６，６４０，２２８、米国特許番号６，５７７，７１８、米国公開公報番号２００３／００６５８０２でも知られている。
【０００９】
しかしながら、ＣＳ接続とＰＳ接続との同時接続に基づくソリューションを実現することには不利な点がある。セル内のすべてのタイムスロットは、ＤＴＭをサポートするために利用することができなくなるので、ＤＴＭ接続を可能にするための再予約が発生する可能性がある。ＤＴＭを実現可能なタイムスロットの量はセル内で制限されているので、これらの可用性はわずかになり得る。また、高頻度の再予約は、基地局コントローラ（ＢＳＣ）内のプロセッサの負荷を増大し得る。
【００１０】
通常のＣＳ呼を開始するＤＴＭを実現可能な移動体のすべてがＰＳ接続をセットアップする場合、いくつかの不要なＰＳ接続が存在し得ることになる。これは、ほとんどの移動体がＰＣチャネルを介してケイパビリティ情報を送信するだけで、指示されているケイパビリティを全く使用しないことがあるからである。
【００１１】
つまり、本発明の目的の１つは、無線インタフェースとリソースの不必要な使用を回避する、マルチメディアケイパビリティ配信についての発明を提供することである。
【００１２】
別の目的は、着呼ユーザ端末が共有マルチメディアサービスをサポートしていて、かつそのサービスが、ＩＰマルチメディアサブシステム（３ＧＰＰ  ＩＭＳ）以外の他の技術、例えば、ＭＭＳ技術に基づいているかをディスカバー（発見）するために、上述の問題へのソリューションを提供することである。
【００１３】
更なる目的は、端末ケイパビリティ情報を有するメッセージを他の端末へ送信し、かつ他の端末のケイパビリティ情報を有するメッセージを受信するためのケイパビリティを、ＳＭＭ及びパケット交換接続をサポートしない端末へ提供することである。
【００１４】
要約
上述の目的は、独立請求項の特徴部分で説明される方法、端末、システム及びコンピュータプログラムによって達成される。
【００１５】
このソリューションは、パケット交換ドメインの不必要な使用を回避し、かつＰＳ接続のセットアップ前の呼のセットアップ中に、マルチメディアケイパビリティメッセージの内容に基づいて、呼を検出し、また、着呼ユーザのマルチメディアケイパビリティを検出する。両ユーザに対して、このことについての肯定的なケイパビリティディスカバリ結果が得られる場合、２つのユーザ端末は、例えば、ソフトボタン上にアイコンを表示することによって、ユーザに通知を行う。端末は、共通の共有マルチメディアサービスのリストを表示することが可能である。
【００１６】
本発明の方法に従えば、両方の加入者自身のユーザ端末及びそれらが配置されているセルのマルチメディアサービスケイパビリティ（ＭＭＣａｐ）が回線交換ドメインを介して接続されるユーザ端末へ配信されるまで、大量の無線インタフェースシグナリングを使用するパケット交換セッションを確立する必要がなくなる。
【００１７】
より詳細には、本発明は、ユーザ端末間で、回線交換（ＣＳドメイン）とパケット交換（ＰＳドメイン）との同時接続をサポートするセルラー移動体無線電気通信システムにおいて、マルチメディアサービスケイパビリティ情報を含むメッセージをユーザ端末へ自動的に配信する方法に関するものである。この方法は、以下の
端末が現在来訪しているセルの基地局システム（ＢＳＳ）を備える回線交換ドメインを介して、該端末から、マルチメディアケイパビリティ情報を含むメッセージを送信するステップを備える。
【００１８】
また、本発明は、ユーザ端末のマルチメディアサービスケイパビリティを含むメッセージを処理することができる端末に関するものである。これは、端末が現在来訪しているセルの基地局システム（ＢＳＳ）を備える回線交換ドメインを介して、端末からマルチメディアケイパビリティ情報を含むメッセージを送信する手段と、別の端末のマルチメディアケイパビリティ情報を含むメッセージを受信する手段とを備える。
【００１９】
また、本発明は、ユーザ端末のマルチメディアサービスケイパビリティ情報を含むメッセージを自動的に処理し、かつ配信するためのシステムに関するものである。このシステムは、セルラー移動体無線電気通信ネットワークにおいて少なくとも１つのセルの少なくとも１つのノードに含まれていて、ここで、このノードは、基地局システム（ＢＳＳ）を備えている。このメッセージを自動的に処理し、かつ配信するためのシステムは、端末が現在来訪しているセルの基地局システム（ＢＳＳ）の回線交換ドメインを介して、該端末のマルチメディアケイパビリティ情報を含むメッセージを配信するための手段を備えている。
【００２０】
本発明は、更に、コンピュータ可読媒体に記憶されたコンピュータ実行可能ソフトウェアを備えるコンピュータプログラムに関するものである。このソフトウェアは、コンピュータあるいは他の処理手段で実行されるように構成されている。このコンピュータ実行可能ソフトウェアが、コンピュータあるいは他の処理手段によってロードされ、かつ読み出される場合に、このコンピュータあるいは他の処理手段は、請求項１乃至９のいずれか１項に記載の方法のステップを実行することが可能である。
【００２１】
実施形態は、従属請求項で説明される。
【００２２】
１つの効果は、本発明が、パケット交換ドメイン及びリソースの不必要な使用を回避する、マルチメディアケイパビリティディスカバリを提供することである。
【００２３】
本発明の１つの更なる効果は、共有マルチメディアアプリケーションが移動体間音声呼で利用できるか否かの明確な情報をエンドユーザが取得することである。
【００２４】
更なる効果は、本発明が、共有マルチメディアサービスＳＭＭがユーザ端末と、ベアラー、例えば、その端末が一時的に配置されるセルのネットワーク及びオペレータによって、共有マルチメディアサービスＳＭＭがサポートされる場合に、少なくとも２つのユーザ端末に、各端末のそれぞれが利用可能な様々なＳＭＭサービスを通知する技術を提供することである。
【００２５】
更なる効果は、本発明が、ＳＭＭ及びパケット交換接続をサポートしない端末で使用できることである。
【００２６】
実施形態の詳細説明
図１は、本発明に従うマルチメディアケイパビリティディスカバリのための方法が使用される、システム１０に実施形態を示すブロック図である。システム１０のサブシステムは、図２及び図３用いて以下で詳細に説明する。
【００２７】
ほとんどの共有マルチメディアサービスについては、ユーザ端末、例えば、移動電話、パーソナルコンピュータ（ＰＣ）、パーソナルアシスタント（ＰＡ）等が、標準回線交換音声呼とパケット交換セッションを同時に実行し、加えて、アプリケーションロジックを作成するクライアントをホスティングすることが可能であることが必要とされる。しかしながら、いくつかのマルチメディアサービス、例えば、ビデオ呼は、ＣＳネットワークだけを使用してなされても良い。ＳＭＭ（共有マルチメディア）サービスを実行することが可能な端末が図１で示されていて、このサービスは、ユーザ端末が標準回線交換音声呼（インタフェース及び接続１１を介する）とパケット交換ＩＰセッション（接続１５を介する）とを同時に実行し、加えて、ＳＭＭサービスに対するアプリケーションロジックを作成するクライアントをホスティングすることが可能であることを必要とするものである。共有マルチメディアサービスをサポートする任意の規格に基づく移動体無線電気通信に対する回線交換ネットワーク１４は、少なくとも１つの共有マルチメディアサーバ１６を含んでいる。ここで、任意の規格には、例えば、３Ｇ  ＷＣＤＭＡ及び２．５Ｇ  ＧＳＭ、ＩＳＭ−９５、ＣＤＭＡ２０００がある。
【００２８】
ユーザ端末１２、１３の両方でＳＭＭサービスをサポートしない場合、これらのユーザ間ではＳＭＭサービスを使用することはできない。それゆえ、発呼側のＳＭＭケイパビリティと着呼側のＳＭＭケイパビリティの調査を開始する必要がある。本発明のシステム１０及び方法は、ユーザ端末の少なくとも１つに、ユーザあるいは加入者と、加入者のユーザ端末１２、１３に対して、どのマルチメディアサービスが利用可能であるかに関しての情報が提供されることを意図している。以下、マルチメディアケイパビリティ（情報）として示される情報は、様々な方法で入力され、かつ更新され得る。ユーザ端末１２、１３のケイパビリティについての情報は、ネットワークオペレータあるいはユーザによって入力されても良い。選択的には、この情報、即ち、ＩＭＥＩ（国際移動局機器アイデンティティ）は、パケット交換ネットワーク２０に対するＰＤＰコンテキストアクティベーション処理から抽出することができ、また、これは、ユーザ端末ケイパビリティを推定するために使用することができる。別の構成は、いくつかの時点で、パケット交換セッションからのＵＡＰｒｏｆ（ユーザエージェントプロファイル）情報を使用することである。マルチメディアケイパビリティは、ユーザ端末から他のユーザ端末へ、マルチメディアケイパビリティメッセージで配信、送信することができる。このメッセージは、様々な方法で構築することができる。様々なマルチメディアケイパビリティを示すマルチメディアケイパビリティインジケータを含むマルチメディアケイパビリティメッセージの構造の１つを、以下で更に説明する（表１及び２参照）。
【００２９】
本発明は、標準回線交換音声とパケット交換ＩＰセッションの両方を同時に実行することができないユーザ端末で実現することを可能にする。本発明は、このような端末に、自身のマルチメディアケイパビリティあるいはマルチメディアケイパビリティの欠落を信号として他のユーザ端末へ送信することを可能にする。
【００３０】
図２は、図１よりも詳細なシステムを示すブロック図であり、ここでは、このシステムで本方法の実施形態が使用される。
【００３１】
このシステムは、移動体無線電気通信ネットワークシステムを備え、これは、公衆地上移動体ネットワークであるＰＬＭＮの一部である。ＰＬＭＮは、少なくとも１つの無線アクセスネットワークであるＲＡＮ、基地局と移動サービス交換局／サービス交換ポイント、ＲＡＮを制御するためのＭＳＣ／ＳＳＰノード（２つの別ノードに分けられていても良い）を備えている。これらの要素は、ＣＳネットワークあるいはＣＳドメインに属するものと見なされる。ＲＡＮは、略記がＳＧＳＮである在圏ＧＰＲＳサポートノード、あるいは略記がＧＧＳＮノードであるゲートウェイＧＰＲＳサポートノードを介して、ＩＰバックボーンにも接続されている。これらの要素は、ＰＳネットワーク、ＰＳドメインに属するものと見なされる。各加入者のユーザ機器１２、１３は、ＰＬＭＮ、いわゆるホームＰＬＭＮ（ＨＰＬＭＮ）に属していて、ここでは、加入者データと認証データがホーム加入者サーバであるＨＳＳのホームロケーションレジスタデータベースであるＨＬＲに登録される。各加入者は、ＨＰＬＭＮに存在していても良く、あるいは、訪問先の別のＰＬＭＮである、訪問先ＰＬＭＮ（ＶＰＬＭＮ）に存在していても良い。
【００３２】
ＰＬＭＮシステムは、回線交換ネットワーク（ホームＣＳ）、及びパケット交換ネットワーク１４を備えていて、これは、少なくとも１つのホームパケット交換ネットワーク（ホームＰＳ）２０を備えている。
【００３３】
ＰＬＭＮシステムは、インタフェース２２を介してＭＳＣ／ＳＳＰノードと通信し、インタフェース２４を介してＩＰバックボーンシステムと通信し、また、インタフェース（不図示）を介して他のＰＬＭＮシステムと通信する。
【００３４】
基地局コントローラであるＢＳＣ２６は、ノードに含められるものとして見なされてもよい。このノードには、基地局システムノードがあり、これは、プログラマブル制御ユニット、例えば、サーバユニット、マイクロプロセッサ、ＰＣ、データ処理ユニット、ＣＰＵ等と、更に必要なデータ記憶装置及びＩ／Ｏユニット（不図示）を備えている。そのため、ノード２６は、ケイパビリティメッセージを受信し、処理するようにプログラムされていても良い。
【００３５】
本発明に従えば、ユーザ端末のマルチメディアサービスケイパビリティ情報を含むメッセージを自動的に処理し、配信するためのシステムは、セルラー移動体無線電気通信ネットワークの少なくとも１つのセルの少なくとも１つのノードに含められる。ここで、このノードは、基地局システム（ＢＳＳ）を備えている。このメッセージを自動的に処理し、配信するためのシステムは、端末（１２、１３）が現在来訪しているセルの基地局システム（ＢＳＳ）を備える回線交換ドメイン（１４）を介して、端末（１２、１３）のマルチメディアケイパビリティ情報（ＭＣｍ１２、ＭＣｍ１３）を含むメッセージを配信する手段を備えている。
【００３６】
本発明のシステムの一実施形態に従えば、マルチメディアサービスケイパビリティ情報を含むメッセージは、無線電気通信ネットワークの制御チャネルを介して送信される。無線電気通信ネットワークの制御チャネルは、ＧＳＭ規格に従う高速関連付制御チャネル（ＦＡＣＣＨ）、あるいは別の移動体無線電気通信規格の対応するチャネルであることが好ましい。
【００３７】
一実施形態に従えば、本システムは、必要な場合に、意図する端末へメッセージが転送される前に、情報の内容を変更するためのマルチメディアサービスケイパビリティ情報フィルタを備えている。
【００３８】
一実施形態に従えば、基地局システムＢＳＳにおいて、好ましくは、基地局コントローラＢＳＣにおいて、呼セットアップ中にユーザ端末間でマルチメディアケイパビリティメッセージ／情報を送信するために、その可用性のオン及びオフを切り替えることを可能にする。ブロードキャストコントロールチャネルＢＣＣＨでブロードキャストされるシステム情報で、「ユーザ端末間でマルチメディアケイパビリティ情報の送信」が指示される場合、そのメッセージに応じる端末のすべては、呼セットアップにおいて、自身のケイパビリティ情報を別の発呼側に送信することになる。
【００３９】
ケイパビリティメッセージは、ＢＳＳに対して半トランスペアレント（半透明）とすることで、ＢＳＳに対して、例えば、ＤＴＭがサポートされていないということを、メッセージで変更することを可能にする。
【００４０】
以下に説明する実施形態では、インテリジェントネットワークＩＮ技術を、本発明のいくつかの機能を実現するために使用することができる。ＩＮ技術は、本発明を実現する場合に可能な技術だけではないので、本発明を制限するものとして見なされるべきでない。
【００４１】
当然のことながら、システムの様々な要素が、図１、２、３及び４で説明されるシステムで信号送受信される指示及び情報を処理するための様々な標準的なステップ及び機能を実行しなければならない。特徴となるステップは、これらの標準的なステップ及び機能と相互に作用しなければならず、この特徴となるステップは、以下で説明及び記載する。
【００４２】
本発明の方法である、ユーザ端末間で、回線交換（ＣＳドメイン）とパケット交換（ＰＳドメイン）の同時接続をサポートするセルラー移動体無線電気通信システムに接続可能なユーザ端末へ、マルチメディアサービスケイパビリティ情報を含むメッセージを自動的に配信する方法を、以下でより詳細に説明する。上述のように、本方法は、端末（１２）が現在来訪しているセルの回線交換ドメインを介して、端末（１２）から、マルチメディアケイパビリティ情報（ＭＣｍ１２）を含むメッセージを送信するステップを備えている。このメッセージは、様々なイベントの様々な状況で、その送信が誘発される。
【００４３】
本発明の方法の一実施形態では、マルチメディアケイパビリティ情報（ＭＣｍ１２）を含むメッセージを送信するステップは、リンクあるいはチャネルのようなパケット交換接続をセットアップすることなく、他のユーザ端末のアイデンティティ番号（Ｅ．１６４番号、ＩＭＥＩ、ＩＭＥＳＩ等）を送信することによって音声呼が開始される場合に自動的に実行される。
【００４４】
本方法の別の実施形態では、マルチメディアケイパビリティ情報（ＭＣｍ１２）を含むメッセージを送信するステップは、リンクあるいはチャネルのようなパケット交換接続をセットアップすることなく、ノードＡのユーザ端末とノードＢのユーザ端末（１３）間で回線交換接続が確立されている場合に自動的に実行される。
【００４５】
本発明の更なる一実施形態に従えば、マルチメディアケイパビリティ情報（ＭＣｍ１２）を含むメッセージを送信するステップは、互いに回線交換接続を介して接続されている端末群の１つがローミングしている場合に自動的に実行される。
【００４６】
本発明の更なる一実施形態に従えば、マルチメディアケイパビリティ情報を含む応答メッセージを自動的に送信するステップは、一方の端末のマルチメディアケイパビリティ情報を含むメッセージを他方の端末から受信される場合に実行される。
【００４７】
本発明の方法の実施形態を、図３を参照して以下で説明する。この図３は、メッセージの信号送受信（シグナリング）スキームである。
【００４８】
本方法は、ノードＡで、加入者である発呼パーティＡが（音声）呼セットアップ処理を実行する場合に開始する。
【００４９】
−（音声）呼をセットアップする
このステップは、回線交換ネットワークで周知の標準的なステップとして見なされる。代替としては、音声呼をセットアップするステップは、音声呼応答（着呼側パーティが応答していることを示す）を受信することによって置き換えることができる。
【００５０】
発呼側パーティＡの端末１２によって実行される次のステップは、マルチメディアケイパビリティ情報、即ち、マルチメディアケイパビリティメッセージの送信である。
【００５１】
−これは、端末１２が現在来訪しているセルの基地局システム（ＢＳＳ）へ、回線交換接続を介して、ノードＡの端末１２から、マルチメディアケイパビリティメッセージＭＣｍ１２を送信する。マルチメディアケイパビリティメッセージは端末の内部メモリに予め記憶されていて、読み出することができる。また、このメッセージは、必要がある場合に、端末制御ユニット、例えば、ＣＰＵ（中央処理ユニット）あるいはその類による呼開始時に、ＣＰＵによって生成するあるいは変更することができる。
【００５２】
発呼側パーティのＢＳＳ（このＢＳＳは、発呼側パーティの端末に接続されている）では、次のステップが実行される。
【００５３】
−基地局システム（ＢＳＳ）のノードＡの、マルチメディアケイパビリティＭＣｍ１２を受信し、着呼側端末１３が別のＢＳＳに接続されている場合、着呼側であるノードＢの受信端末１３が着呼側パーティＢで使用されている、セルのＢＳＳへそのメッセージを転送する。
【００５４】
着呼側パーティの端末では、以下のステップが実行される。
【００５５】
−回線交換接続を介して、ノードＡのマルチメディアケイパビリティメッセージＭＣｍ１２を受信し、それをノードＢの受信端末１３に記憶する。
【００５６】
−ノードＢの端末１３でマルチメディア情報メッセージＭＣｍ１３を生成し、そのメッセージをノードＢの端末１３から、回線交換接続を介して、ノードＢの端末１３が現在来訪しているセルの基地局システム（ＢＳＳ）へ送信することによって、受信メッセージに自動的に応答する。
【００５７】
着呼側パーティのＢＳＳ（ＢＳＳは、着呼側パーティの端末１３に接続されている）において、以下のステップが実行される。
【００５８】
−ノードＢのマルチメディアケイパビリティメッセージＭＣｍ１３を基地局システム（ＢＳＳ）１３で受信し、発呼側端末１２が別のＢＳＳに接続されている場合、発呼側パーティＡによって使用されているノードＡの発呼側端末１２が現在来訪しているセルのＢＳＳへそのメッセージを転送する。
【００５９】
発呼側パーティの端末の制御ユニットは、
−ノードＢのマルチメディアケイパビリティメッセージを、回線交換接続を介して受信し、記憶する。
【００６０】
各端末１２、１３では、端末内の制御ユニットを使用することによって、以下のステップが実行される。
【００６１】
−別の端末のマルチメディアサービスケイパビリティを含む受信メッセージを解析する。
【００６２】
−受信メッセージが解析される場合に、マルチメディアサービスセッションを開始するための可用性を端末ユーザに通知する。
【００６３】
取り得るマルチメディアサービスケイパビリティの数を制限するあるいは満足させるステップが、受信したメッセージを解析するステップが実行された後に実行される。
【００６４】
端末は、受信したケイパビリティメッセージ内のケイパビリティレコード／リストのケイパビリティと、自身のケイパビリティレコード／リストのケイパビリティとの比較による解析を実行して、ＭＣｍ１２及びＭＣｍ１３内の異なるケイパビリティ、即ち、ＳＭＭサービスのマッチングを試行し、マッチングマルチメディア結果を出力する。この結果は、例えば、その結果を端末のディスプレイに表示することによって、端末のユーザに対して提示される。
【００６５】
着呼側端末が、マルチメディアケイパビリティメッセージを読み取ることができない場合、移動電気通信ネットワークあるいは端末はそれを破棄する。
【００６６】
図４は、ここでは、端末あるいは移動電話として示される、図示のユーザ端末６０を示すブロック図である。この端末６０は、エアインタフェースを介して、音声呼及びデータ情報を移動体無線電気通信ネットワークへのシグナリングを実行し、かつ送信し及び受信するための無線ユニットを内蔵するハウジング６２を備えている。この無線ユニット６４は、制御ユニット６６によって接続され、かつ制御される。この制御ユニット６６は、コンピュータあるいは処理手段（不図示）である。これには、例えば、ＣＰＵ（中央処理ユニット）、マイクロプロセッサ、ＰＣ（パーソナルコンピュータ）等がある。ほとんどの共有マルチメディアサービスに対しては、ユーザ端末、例えば、移動電話が標準的な回線交換音声呼及びパケット交換セッションの両方を同時に実行し、加えて、アプリケーションロジックを作成するクライアントをホスティングすることが可能であることが必要とされる。しかしながら、いくつかのマルチメディアサービス、例えば、ビデオ呼は、ＣＳネットワークだけを使用してなされても良い。メモリ記憶手段６８は、制御ユニット６６に接続されていて、このメモリ記憶手段６８は、その制御ユニット及び端末を制御するためのソフトウェアプログラムに対するデータ及びソフトウェアコードを記憶する。図示のメモリ記憶手段６８は、市場において、端末で通常に使用されている、ＲＯＭ、ＲＡＭ、ＥＰＲＯＭ等の多くの様々な種類の記憶媒体を示している。このメモリ記憶手段６８には、ＷＡＰプッシュメッセージ、ＭＭＳ、マルチメディアケイパビリティ、ＳＩＰメッセージ等の様々なサービスに対するユーザエージェントがロードされ、記憶されている。ユーザエージェントソフトウェアプログラムは、制御ユニットが対応する受信サービスを識別する場合に自動的に呼び出される。端末６０には、マンマシンインタフェースＭＭＩである、様々な情報を表示するための、制御ユニットに接続されかつ制御されるディスプレイ７０が構成されている。ディスプレイ７０は、タッチによって、メモリ記憶手段６８に記憶されているソフトウェアアプリケーションを起動することができるソフトボタンを表示することができる。端末６０の様々なユニットは、少なくとも１つのバッテリ（不図示）によって電源が投入される。
【００６７】
本発明に従えば、端末には、マルチメディアケイパビリティメッセージ（かつ、必要である場合に、マルチメディアケイパビリティメッセージを生成する手段）を送信する手段と、マルチメディアケイパビリティ情報を含む応答メッセージを自動的に送信する手段と、コンピュータあるいは処理手段によって実現されるマルチメディアサービスセッションを開始するための可用性を端末のユーザへ通知するための受信メッセージを解析する手段とが構成される。ここで、コンピュータあるいは処理手段は、例えば、ＣＰＵ（中央処理ユニット）、マイクロプロセッサ、ＰＣ（パーソナルコンピュータ）等があり、これは、そのコンピュータあるいはデータ処理装置によって実行されるデータ及びソフトウェアプログラムコードを記憶するためのデータ記憶メモリに接続されている。これらの手段は、そのコンピュータあるいはデータ処理装置によって実行されるソフトウェアプログラムコードとして実現されることが好ましい。
【００６８】
正規の送受信回路、あるいは別々の送信回路及び受信回路は、例えば、無線電気通信ネットワークの制御チャネルを介して、メッセージを送信しかつ受信するユーザ端末手段として当業者によって選択されても良い。
【００６９】
ユーザエージェントがユーザ端末で提供される場合、このユーザエージェントは、以下の登録ステップを実行するために使用されても良く、また、ケイパビリティ応答が受信される場合には、このユーザエージェントは、ＳＭＭアイコンの表示を実行するために使用されても良い。
【００７０】
１．ＳＭＭアイコンあるいは対応するＳＭＭインジケータを表示
２．ＰＤＰ（パケットデータプロトコル）コンテキストアクティベーション
３．ＳＩＰ登録の開始
−ＭＭＳベースの共有マルチメディアの場合、このステップは自動的にはアクティベートされない。
【００７１】
ユーザがＳＭＭリストアイコンあるいはそれと等価のものを確認すると、ユーザは、例えば、ＳＭＭアイコン下のソフトボタンを押下して、例えば、ＪＰＥＧフォーマットで、画像を、発信音声呼の遠隔ユーザに向けて送信することができる。
【００７２】
端末の双方でマルチメディアケイパビリティのマッチングを行うが、端末の一方あるいは両方は、この種のサービスに対して必要とされる無線ベアラの内、特定の種類の無線ベアラで提供されていないネットワークにローミングしている場合がある。
【００７３】
端末のユーザへの通知については、特殊音あるいは振動等を生成する手段がアイコンに代えて使用されても良い。
【００７４】
上述の実施形態では、Ｅ．１６４番号が加入者アイデンティティとして使用されているが、他の加入者あるいは端末関連情報、例えば、ＩＭＥＩ、ＩＭＳＩが加入者に対するアイデンティティとして同様に使用することができる。
【００７５】
本方法は、本方法のステップを実行するためのソフトウェアコード手段を備えるコンピュータプログラム手段によって実現されても良い。このコンピュータ実行可能ソフトウェアを備えるコンピュータプログラムはコンピュータ可読／可用媒体に記憶されていて、このソフトウェアは、コンピュータあるいは他の処理手段で実行するように構成されている。このコンピュータ実行可能ソフトウェアがコンピュータあるいは他の処理手段によってロードされ、読み出されると、そのコンピュータあるいは他の処理手段は、請求項１−９に従う方法のステップを実行することが可能となる。
【００７６】
本明細書では、様々な種類のコンピュータあるいは処理手段が挙げられる。これには、例えば、ＣＰＵ（中央処理ユニット）、マイクロプロセッサ、ＰＣ（パーソナルコンピュータ）、サーバユニット等がある。この挙げたものがすべてではなく、これらが本発明の保護の範囲を制限するものとして見なされるべきでない。
【００７７】
マルチメディアケイパビリティメッセージは、様々なタイプのコンテンツを含むことができる。マルチメディアケイパビリティメッセージは、以下に示すような情報要素を含んでいる。
【００７８】
１）呼制御プロトコル弁別器（discriminator）、これは、文献３ＧＰＰ技術仕様書２４．００８  Ｖ５．７．０−リリース５、移動体無線インタフェースレイヤー３仕様書、コアネットワークプロトコル、ステージ３（この文献は、以降、文献［２］として示す）で、早期に定義されかつ記載されているプロトコル弁別器である。
【００７９】
２）トランザクション識別子、これも、文献［２］に記載されている。
【００８０】
３）マルチメディアケイパビリティメッセージタイプ、これについては、以下で説明する。
【００８１】
４）マルチメディアケイパビリティインジケータ、これについても、以下で説明する。
【００８２】
表１では、呼制御及び呼関連補助サービス（ＳＳ）メッセージに対して取り得るメッセージタイプを定義するパケットヘッドのヘッドが示されている
【００８３】
【表１】
2008522486.tif 000003
【００８４】
一番下から四番目までの位置のパケットデータヘッドの、現存のメッセージのタイプを定義している。「１０００」は、このメッセージのタイプがマルチメディアメッセージであることを示している。
【００８５】
表２では、取り得るマルチメディアケイパビリティインジケータ情報要素を定義するメッセージパッケージのボディ（本体）が示されている。
【００８６】
【表２】
2008522486.tif 000004
【００８７】
マルチメディアケイパビリティインジケータは、１オクテットビット長のタイプ３レイヤ情報要素である。各マルチメディアサービスは、表２内のインジケータに従って符号化されても良い。このようなインジケータは、ＢＳＳ、ＢＳＣあるいはユーザ端末のコンピュータあるいは処理手段によって処理することが可能である。
【００８８】
ケイパビリティメッセージは、ユーザ端末がサポートすることができる異なるマルチメディアサービスがいくつあるかに依存して、いくつかのインジケータを備えることができる。ユーザ端末がマルチメディア処理に適合していない場合、この端末によって送信されるマルチメディアケイパビリティメッセージはインジケータを含まないことになる。
【００８９】
本発明は、上述の実施形態に限定されるものではない。様々に変形したもの、変更したもの及び等価なものを使用することができる。それゆえ、上述の実施形態は、本発明の範囲を制限するものとして考慮されるべきでなく、本発明は添付の請求項で定義されるものである。
【図面の簡単な説明】
【００９０】
【図１】本発明に従うマルチメディアケイパビリティディスカバリに対する方法が使用されるシステムを示すブロック図である。
【図２】図１の一部を特に示す実施形態を示すブロック図である。
【図３】本方法の実施形態を示すシグナリング図である。
【図４】端末あるいは移動電話を示すブロック図である。
【図１】
2008522486.tif 000005
【図２】
2008522486.tif 000006
【図３】
2008522486.tif 000007
【図４】
2008522486.tif 000008
【国際調査報告】
2008522486.tif 000009
2008522486.tif 000010
2008522486.tif 000011